(57)【要約】【課題】上腕保護体及び前腕保護体の装着状態を維持しながら、上腕保護体と前腕保護体との相対姿勢をスムーズに変化させることができるアームガードを提供する。【解決手段】上腕に装着自在な上腕保護体１と、前腕に装着自在な前腕保護体２と、上腕保護体１と前腕保護体２との間に配設される肘保護体３とが備えられ、上腕保護体１と前腕保護体２とが弾性連結材４を介して連結されている。【選択図】図４
2018050895.tif 000002
【特許請求の範囲】
【請求項１】
上腕に装着自在な上腕保護体と、前腕に装着自在な前腕保護体と、前記上腕保護体と前記前腕保護体との間に配設される肘保護体とが備えられ、
前記上腕保護体と前記前腕保護体とが弾性連結材を介して連結されているアームガード。
【請求項２】
前記弾性連結材における前記上腕保護体と前記前腕保護体との連結方向の一端側部位が上腕保護体に接続され、
前記弾性連結材における前記連結方向の他端側部位が前記前腕保護体に接続され、
前記弾性連結材における前記連結方向の中間部位が前記肘保護体の裏面部に接続されている請求項１記載のアームガード。
【請求項３】
前記弾性連結材における前記肘保護体との接続部位が、前記弾性連結材における前記連結方向の中央位置よりも前記上腕保護体側となる前記連結方向の一端側に配置されている請求項２記載のアームガード。
【請求項４】
前記肘保護体における前記弾性連結材との接続部位が、前記肘保護体における前記連結方向の中央位置、又は、それよりも前記前腕保護体側となる前記連結方向の他端側に配置されている請求項２又は３記載のアームガード。
【発明の詳細な説明】
【技術分野】
【０００１】
本発明は、装着者の腕の肘付近を防護するアームガードに関する。
【背景技術】
【０００２】
この種のアームガードは、特許文献１に示すように、装着者の上腕に装着自在な上腕保護体と、装着者の前腕に装着自在な前腕保護体と、上腕保護体と前腕保護体との間に配設される肘保護体とが備えられ、装着者の肘を含む上腕から前腕までの範囲を防護可能に構成されている。そのため、この種のアームガードは、野球やソフトボール等においてバッティング姿勢の打者の投手寄りに位置する腕であるリード腕（右打者では左腕、左打者では右腕）をボールから防護するために好適に用いられている。
【０００３】
この特許文献１に記載のアームガードでは、肘保護体が、上腕保護体の肘保護体側の表面部と、前腕保護体の肘保護体側の表面部とに亘る状態で、雄雌の面状ファスナーを介して上腕保護体及び前腕保護体に対して着脱自在に備えられている。雄雌の面状ファスナーの係合位置を変更することで、装着者の好みに応じて上腕保護体と前腕保護体の相対位置を調整することができる。
【先行技術文献】
【特許文献】
【０００４】
【特許文献１】特開２０１５−４７１７１号公報
【発明の概要】
【発明が解決しようとする課題】
【０００５】
野球やソフトボール等における打者のバッティング動作では、リード腕の前腕において、リード腕の上腕では行わない鋭い回外動作（手のひらを上に向ける動作）が行われる。そのため、バッティング動作を違和感なくスピーディに行うためには、バッティング動作中において、上腕保護体及び前腕保護体の装着状態を維持しながら、上腕保護体と前腕保護体との相対姿勢が上腕及び前腕の各動作に追従してスムーズに変化することが望ましい。
しかしながら、特許文献１に記載のアームガードでは、上腕保護体の肘保護体側の表面部と前腕保護体の肘保護体側の表面部とに亘って肘保護体が設けられているので、その肘保護体を介して上腕保護体と前腕保護体との相対姿勢の変化に大きな抵抗力が付与されることになり、バッティング動作中における両保護体の相対姿勢の変化がスムーズに行われず、違和感が生じるとともに動作速度も低下する。
【０００６】
この実情に鑑み、本発明の主たる課題は、上腕保護体及び前腕保護体の装着状態を維持しながら、上腕保護体と前腕保護体との相対姿勢をスムーズに変化させることができるアームガードを提供する点にある。
【課題を解決するための手段】
【０００７】
本発明の第１特徴構成は、アームガードであって、上腕に装着自在な上腕保護体と、前腕に装着自在な前腕保護体と、前記上腕保護体と前記前腕保護体との間に配設される肘保護体とが備えられ、
前記上腕保護体と前記前腕保護体とが弾性連結材を介して連結されている点にある。
【０００８】
本構成によれば、上腕保護体と前腕保護体を連結する弾性連結材の弾性変形により、上腕保護体及び前腕保護体の装着状態を維持しながら、上腕保護体と前腕保護体との相対姿勢をスムーズに変化させることができる。
よって、野球やソフトボール等の打者が装着する場合には、そのバッティング動作中において、上腕保護体及び前腕保護体の装着状態を維持しながら、上腕保護体と前腕保護体との相対姿勢を、上腕と前腕の各動作に追従させてスムーズに変化させることができ、バッティング動作を違和感なくスピーディに行える。
【０００９】
本発明の第２特徴構成は、前記弾性連結材における前記上腕保護体と前記前腕保護体との連結方向の一端側部位が上腕保護体に接続され、
前記弾性連結材における前記連結方向の他端側部位が前記前腕保護体に接続され、
前記弾性連結材における前記連結方向の中間部位が前記肘保護体の裏面部に接続されている点にある。
【００１０】
本構成によれば、弾性連結材の弾性変形により、上腕保護体及び前腕保護体の装着状態を維持しながら、上腕保護体と肘保護体との相対姿勢、及び、肘保護体と前腕保護体との相対姿勢、並びに、上腕保護体と前腕保護体との相対姿勢をスムーズに変化させることができる。
よって、野球やソフトボール等の打者のバッティング動作中において、上腕保護体及び前腕保護体の装着状態を維持しながら、上述した各相対姿勢を上腕と肘と前腕の各動作に追従させてスムーズに変化させることができ、バッティング動作を一層違和感なくスピーディに行える。
【００１１】
しかも、弾性連結材の連結方向の一端側と他端側と中間部の三箇所を上腕保護体と肘保護体と前腕保護体の各々とに接続するだけで、当該弾性連結材を介して上腕保護体と肘保護体と前腕保護体とを一体連結することができる。
よって、例えば、上腕保護体と肘保護体との接続、及び、肘保護体と前腕保護体との接続を別々の弾性連結材で行うのに比べ、部品点数及び接続箇所を削減することができ、製作コストの低廉化を図れる。
【００１２】
本発明の第３特徴構成は、前記弾性連結材における前記肘保護体との接続部位が、前記弾性連結材における前記連結方向の中央位置よりも前記上腕保護体側となる前記連結方向の一端側に配置されている点にある。
【００１３】
本構成によれば、弾性連結材において、肘保護体との接続部位から連結方向の他端側部位である前腕保護体との接続部位までの前腕保護体側領域の長さが、肘保護体との接続部位から連結方向の一端側部位である上腕保護体との接続部位までの上腕保護体側領域の長さよりも大きくなる。
よって、弾性連結材において、長い側の前腕保護体側領域の弾性変形が行われ易くなり、その結果、野球やソフトボール等の打者のバッティング動作中において、前腕保護体が装着された前腕の鋭い回外動作（手のひらを上に向ける動作）を一層スピーディに行うことが可能となる。
【００１４】
本発明の第４特徴構成は、前記肘保護体における前記弾性連結材との接続部位が、前記肘保護体における前記連結方向の中央位置、又は、それよりも前記前腕保護体側となる前記連結方向の他端側に配置されている点にある。
【００１５】
本構成によれば、肘保護体において、揺動軸となる弾性連結材との接続部位が、連結方向の中央位置、又は、それよりも前腕保護体側となる連結方向の他端側に配置されているので、当該接続部位が連結方向の中央位置よりも上腕保護体側となる連結方向の一端側に配置されている場合に比べ、肘保護体の揺動に伴い、肘保護体の前腕保護体側の端部と前腕保護体との間に形成される隙間を小さくすることができる。
よって、野球やソフトボール等の打者のバッティング動作中において、肘保護体の揺動に伴い、肘保護体の前腕保護体側の端部と前腕保護体との間にボールの侵入を許す大きな隙間が形成されるのを抑制することができ、バッティング動作中の腕を適切に防護することができる。
【図面の簡単な説明】
【００１６】
【図１】アームガードの装着状態を示す図
【図２】アームガードの分解斜視図（表面側）
【図３】アームガードの斜視図（裏面側）
【図４】上腕保護体と肘保護体と前腕保護体との接続構造を示す断面図
【図５】上腕保護体と肘保護体と前腕保護体との接続構造を示す分解断面図
【図６】（ａ）別実施形態の上腕保護体と肘保護体と前腕保護体との接続構造を示す断面図、（ｂ）別実施形態の上腕保護体と肘保護体と前腕保護体との接続構造を示す断面図
【図７】別実施形態のアームガードの斜視図（裏面側）
【発明を実施するための形態】
【００１７】
本発明に係るアームガードの実施形態を図面に基づいて説明する。
このアームガードＧは、野球又はソフトボールの打者用として構成され、図１に示すように、打者（装着者の一例）の上腕に装着自在な上腕保護体１と、打者の前腕に装着自在な前腕保護体２と、上腕保護体１と前腕保護体２との間に配設される肘保護体３とが備えられ、打者の肘を含む上腕から前腕までの範囲を防護可能に構成されている。
【００１８】
前記上腕保護体１は、上腕を周方向に沿って被覆可能で、且つ、上腕の周方向に沿って曲げ変形可能なパット状体１Ａと、当該パット状体１Ａの左右の側辺部１ａ間に亘らせた装着バンド１Ｂから構成されている。上腕保護体１は、パット状体１Ａと装着バンド１Ｂとで上腕を外周側から拘束する状態で上腕に装着することができる。装着バンド１Ｂは、長さ調整可能、又は、長さ方向で弾性変形可能に構成され、打者の上腕の大きさ等に応じた適切な装着状態を実現することができる。
【００１９】
前腕保護体２は、前腕を周方向に沿って被覆可能で、且つ、前腕の周方向に沿って曲げ変形可能なパット状体２Ａと、当該パット状体２Ａの左右の側辺部２ａの間に亘らせた装着バンド２Ｂから構成されている。前腕保護体２は、パット状体２Ａと装着バンド２Ｂとで前腕を外周側から拘束する状態で前腕に装着することができる。装着バンド２Ｂは、長さ調整可能、又は、長さ方向で弾性変形可能に構成され、打者の前腕の大きさに応じた適切な装着状態を実現することができる。
【００２０】
前記肘保護体３は、打者の肘を外側から被覆可能な椀状体にて構成されている。上腕保護体１、前腕保護体２、肘保護体３の各々は、例えば、縁部材にて縫着一体化される表生地と裏生地との間に発泡体等の緩衝材やプラスチックや金属等の硬質部材を介在させるなど、ボールの衝撃力を低減可能な各種の構成を適宜に採用することが可能である。
【００２１】
そして、このアームガードＧは、図２〜図４に示すように、上腕保護体１と前腕保護体２とが弾性連結材４を介して連結されている。弾性連結材４は、例えば、三次元方向で弾性変形自在な左右一対のゴム製の帯状体にて構成されている。本実施形態では、各弾性連結材４における上腕保護体１と前腕保護体２との連結方向Ｘの適所を上腕保護体１と前腕保護体２と肘保護体３の各々に接続することで、上腕保護体１と前腕保護体２と肘保護体３とが、互いの相対姿勢を変化自在な状態で連結一体化されている。
よって、このアームガードＧは、打者のバッティング動作中において、上腕保護体１及び前腕保護体２の装着状態を維持しながら、上腕保護体１と前腕保護体２と肘保護体３との相対姿勢を上腕と肘と前腕の各動作に追従させてスムーズに変化させることができ、バッティング動作を違和感なくスピーディに行える。
以下、上腕保護体１、前腕保護体２、肘保護体３の三者の連結構造の詳細について説明を加える。
【００２２】
図２、図４に示すように、各弾性連結材４における連結方向Ｘの一端側部位の接続部位４ａが、上腕保護体１のパット状体１Ａの表面部（外面部）１ｂにおける連結方向Ｘの一端側部位の接続部位１ｃに対して縫着糸等の接続手段５（図４参照）にて接続されている。上腕保護体１のパット状体１Ａの連結方向Ｘの一端側端縁部の左右の二ヶ所には、当該端縁部の左右方向中間位置に肘の先端との干渉を回避する凹部を形成する突出片部１ｅが形成されており、上腕保護体１の接続部位１ｃは、このパット状体１Ａの左右の突出片部１ｅの各々に配置されている。
【００２３】
また、各弾性連結材４における連結方向Ｘの他端側部位の接続部位４ｂが、前腕保護体２のパット状体２Ａの表面部２ｂにおける連結方向Ｘの他端側部位の接続部位２ｃに対して縫着糸等の接続手段５（図４参照）にて接続されている。
前腕保護体２のパット状体２Ａの連結方向Ｘの他端側端縁部の左右の二ヶ所には、当該端縁部の左右方向中間位置に肘の先端との干渉を回避する凹部を形成する突出片部２ｅが形成されており、前腕保護体２の接続部位２ｃは、このパット状体２Ａの左右の突出片部２ｅの各々に配置されている。
【００２４】
更に、各弾性連結材４における連結方向Ｘの中間部位の接続部位４ｃが、肘保護体３の裏面部（内面部）３ａの連結方向Ｘの中間部位の接続部位３ｃに対して縫着糸等の接続手段５（図４参照）にて接続されている。
【００２５】
図５に示すように、弾性連結材４における連結方向Ｘの中間部位の接続部位４ｃは、弾性連結材４における連結方向Ｘの中央位置Ｃ４よりも上腕保護体１側となる連結方向Ｘの一端側に配置されている。換言すれば、弾性連結材４において、連結方向Ｘの中間部位の接続部位４ｃから連結方向Ｘの他端側部位の接続部位４ｂまでの前腕保護体側領域Ｒ２の長さが、連結方向Ｘの中間部位の接続部位４ｃから連結方向Ｘの一端側部位の接続部位４ａまでの上腕保護体側領域Ｒ１の長さよりも大に構成されている。
そのため、弾性連結材４において、長い側の前腕保護体側領域Ｒ２の弾性変形が行われ易くなり、その結果、打者のバッティング動作中において前腕保護体２が装着された前腕の鋭い回外動作（手のひらを上に向ける動作）を一層スピーディに行うことができる。
【００２６】
また、同図５に示すように、肘保護体３における弾性連結材４との接続部位３ｃは、肘保護体３における連結方向Ｘの中央位置Ｃ３又はそれよりも前腕保護体２側となる連結方向Ｘの他端側に配置されているのが好ましく、本実施形態では、連結方向Ｘの中央位置Ｃ３に配置されている。
そのため、当該接続部位３ｃが連結方向Ｘの中央位置Ｃ３よりも連結方向Ｘの一端側（上腕保護体側）に配置されている場合に比べ、肘保護体３の揺動に伴い、肘保護体３の前腕保護体２側の端部と前腕保護体２との間に形成される隙間を小さくすることができる。
よって、打者のバッティング動作中において、肘保護体３の揺動に伴い、肘保護体３の前腕保護体２側の端部と前腕保護体２との間からボールが侵入するのを抑制することができ、バッティング動作中の腕を適切に防護することができる。
【００２７】
〔別実施形態〕
（１）前述の実施形態では、上腕保護体１と前腕保護体２とが弾性連結材４を介して連結されている例として、弾性連結材４における上腕保護体１と前腕保護体２との連結方向Ｘの適所を上腕保護体１と前腕保護体２と肘保護体３の各々に接続する場合を例に示したが、このような構成に限るものではない。
例えば、図６（ａ）に示すように、弾性連結材４にて上腕保護体１と前腕保護体２と肘保護体３とを接続するとともに、肘保護体３は弾性連結材を介さずに縫着等の接続手段５にて直接的に上腕保護体１に接続するようにしてもよい。
また、図６（ｂ）に示すように、弾性連結材４にて上腕保護体１と肘保護体３とを接続し、これとは別の弾性連結材４にて肘保護体３と前腕保護体２とを接続するようにしてもよい。この場合、例えば、上腕保護体１と肘保護体３とを接続する弾性連結材４（図６（ｂ）中の上方側の弾性連結材４）よりも、肘保護体３と前腕保護体２とを接続する弾性連結材４（図６（ｂ）中の下方側の弾性連結材４）の長さを大にする。このようにすれば、肘保護体３と前腕保護体２とを接続する長い側の弾性連結材４の弾性変形が行われ易くなり、その結果、打者のバッティング動作中において前腕保護体２が装着された前腕の鋭い回外動作（手のひらを上に向ける動作）を一層スピーディに行うことができる。
要するに、上腕保護体１と前腕保護体２とが弾性連結材４を介して連結されていれば、如何なる構成であってもよい。なお、図６中、前述の実施形態と同一の構成箇所には同一の番号を付記している。
【００２８】
（２）弾性連結材４は、前述の実施形態で示した左右一対のゴム製の帯状体に限らず、紐状体やシート状体等の各種の構成を適宜に採用することができ、使用する個数や大きさや形状についても、各保護体１〜３の大きさや形状、或いは、アームガードＧの使用環境等に応じて適宜に変更することができる。例えば、図７に示すように、弾性連結材４を、前述の実施形態で示した左右一対のゴム製の帯状体に代えて、中央一本の太幅の帯状体にて構成するようにしてもよい。なお、図７中、前述の実施形態と同一の構成箇所には同一の番号を付記している。
【００２９】
（３）前述の実施形態では、弾性連結材４における連結方向Ｘの中間部位の接続部位４ｃが、弾性連結材４における連結方向Ｘの中央位置Ｃ４よりも連結方向Ｘの一端側（上腕保護体１側）に配置されている場合を例に示したが、場合によっては、弾性連結材４における連結方向Ｘの中央位置Ｃ４よりも連結方向Ｘの他端側（前腕保護体２側）に配置されていてもよい。
【００３０】
（４）前述の実施形態では、肘保護体３における弾性連結材４との接続部位３ｃが、肘保護体３における連結方向Ｘの中央位置Ｃ３に配置されている場合を例に示したが、連結方向Ｘの中央位置Ｃ３よりも連結方向Ｘの他端側（前腕保護体２側）に配置されていてもよく、場合によっては、連結方向Ｘの中央位置Ｃ３よりも連結方向Ｘの一端側（上腕保護体１側）に配置されていてもよい。
【００３１】
（５）前述の実施形態では、接続手段５として、縫着糸を例に示したが、接着剤や面ファスナー等であってもよく、各保護体１〜３や弾性連結材４を接続可能な各種の構成を適宜に採用することができる。
【００３２】
（６）前述の実施形態では、野球やソフトボールの打者用のアームガードＧを例に示したが、本発明のアームガードは、野球やソフトボールの打者用に限らず、肘を含む上腕から前腕までの範囲の防護を要する各種の用途に好適に用いることができる。
【符号の説明】
【００３３】
１        上腕保護体
１ｃ      接続部位
２        前腕保護体
２ｃ      接続部位
３        肘保護体
３ｃ      接続部位
４        弾性連結材
４ａ      接続部位（一端側部位）
４ｂ      接続部位（中間部位）
４ｃ      接続部位（他端側部位）
Ｃ４      中央位置
Ｇ        アームガード
Ｘ        連結方向
【図１】
2018050895.tif 000003
【図２】
2018050895.tif 000004
【図３】
2018050895.tif 000005
【図４】
2018050895.tif 000006
【図５】
2018050895.tif 000007
【図６】
2018050895.tif 000008
【図７】
2018050895.tif 000009